(57)【特許請求の範囲】
【請求項１】
液化天然ガスを貯留するタンクの上部に設けられた予備開口部に載置されるケーシングと、一端に重量部が吊着され、前記ケーシング内から前記予備開口部を介して吊り下げられるガイドワイヤと、前記ガイドワイヤが巻回され、前記重量部を昇降自在な巻回部と、前記ガイドワイヤにより案内された状態で昇降自在に構成され、前記液化天然ガスの物理量を検知可能なプローブと、前記ケーシングと前記タンクとを前記予備開口部を介して連通する連通状態および前記ケーシングと前記タンクとが前記予備開口部を介して連通しない非連通状態に切替自在な開閉弁部とを備え、
前記プローブは、前記ガイドワイヤを挿通する案内孔を備えたガイド部を備え、
前記ガイド部は、上方側に位置する上方ガイド部と、前記上方ガイド部の下方側に位置する下方ガイド部とを備え、前記上方ガイド部および前記下方ガイド部におけるそれぞれの上面に、中央側から外方側に向かうにつれて下方に傾斜するガイド部傾斜構造を備え、
前記ガイドワイヤは、一対の第一ガイドワイヤと第二ガイドワイヤとを備えて構成されており、
前記第一ガイドワイヤと前記第二ガイドワイヤとの間の間隔を定める間隔規制部を有し、前記第一ガイドワイヤに吊着された前記重量部に載置されたガイドリンクを備え、
前記間隔規制部が、前記第一ガイドワイヤが挿通される第一挿通部と、前記第二ガイドワイヤが挿通される第二挿通部とを備えて、
前記第一挿通部の上面に、前記第二挿通部から離間するにつれて下方に傾斜する第一ガイドリンク傾斜構造を備え、
前記第二挿通部の上面に、前記第一挿通部から離間するにつれて下方に傾斜する第二ガイドリンク傾斜構造を備え、
前記プローブを前記ガイドリンクの上方に位置させ、且つ、前記重量部を前記開閉弁部の上方に位置させた状態で、前記プローブおよび前記重量部を前記ケーシング内に収納可能に構成されている、液化天然ガスタンク用の物理量計測装置。
【請求項２】
前記重量部は、前記巻回部が操作されて前記タンク内に降下した際、前記タンクの内部に接触する状態で前記巻回部に引張力を加える請求項１に記載の液化天然ガスタンク用の物理量計測装置。
【請求項３】
前記ケーシング内の上部に、前記巻回部と前記重量部との間の位置で前記ガイドワイヤを懸吊する一対の懸吊部を備え、前記プローブは、前記ガイドワイヤに案内された状態で前記懸吊部と前記ガイドリンクとの間を昇降自在に構成されている請求項１又は２に記載の液化天然ガスタンク用の物理量計測装置。
【請求項４】
前記重量部は、略円錐状に形成された頂部と、略円筒状に形成された胴部とを備え、前記頂部で前記ガイドワイヤに吊着される請求項１〜３の何れか一項に記載の液化天然ガスタンク用の物理量計測装置。
【請求項５】
前記ケーシングは、前記重量部の昇降方向に対して側面部位に、開閉自在な開閉部を備えて構成されている請求項１〜４の何れか一項に記載の液化天然ガスタンク用の物理量計測装置。
【請求項６】
前記開閉部は、開いた状態で前記予備開口部よりも広い開口面積を有するよう構成されている請求項５に記載の液化天然ガスタンク用の物理量計測装置。
【請求項７】
液化天然ガスを貯留するタンクの上部に設けられた予備開口部に載置されるケーシングと、一端に重量部が吊着され、前記ケーシング内から前記予備開口部を介して吊り下げられるガイドワイヤと、前記ガイドワイヤが巻回され、前記重量部を昇降自在な巻回部と、前記ガイドワイヤにより案内された状態で昇降自在に構成され、前記液化天然ガスの物理量を検知可能なプローブと、前記ケーシングと前記タンクとを前記予備開口部を介して連通する連通状態および前記ケーシングと前記タンクとが前記予備開口部を介して連通しない非連通状態に切替自在な開閉弁部と、前記ケーシング内の上部に、前記巻回部と前記重量部との間の位置で前記ガイドワイヤを懸吊する一対の懸吊部とを備え、
前記プローブは、前記ガイドワイヤを挿通する案内孔を備えたガイド部を備え、
前記ガイド部は、上方側に位置する上方ガイド部と、前記上方ガイド部の下方側に位置する下方ガイド部とを備え、前記上方ガイド部および前記下方ガイド部におけるそれぞれの上面に、中央側から外方側に向かうにつれて下方に傾斜するガイド部傾斜構造を備え、
前記ガイドワイヤは、一対の第一ガイドワイヤと第二ガイドワイヤとを備えて構成されており、
前記第一ガイドワイヤと前記第二ガイドワイヤとの間の間隔を定める間隔規制部を有し、前記第一ガイドワイヤに吊着された前記重量部に載置されたガイドリンクを備え、
前記間隔規制部が、前記第一ガイドワイヤが挿通される第一挿通部と、前記第二ガイドワイヤが挿通される第二挿通部とを備えて、
前記第一挿通部の上面に、前記第二挿通部から離間するにつれて下方に傾斜する第一ガイドリンク傾斜構造を備え、
前記第二挿通部の上面に、前記第一挿通部から離間するにつれて下方に傾斜する第二ガイドリンク傾斜構造を備える物理量計測装置を用いた、物理量の測定方法において、
前記開閉弁部を切替操作して前記非連通状態とし、前記ケーシングの内部に、前記プローブと前記重量部とを前記プローブが前記ガイドリンクの上方に位置する状態で取り付けた後、
前記開閉弁部を切替操作して前記連通状態とし、前記巻回部を操作して前記重量部を前記タンクに着床させた状態で前記巻回部に引張力を作用させて、前記ガイドワイヤを固定し、
その後、前記プローブを、前記ガイドワイヤに沿って案内した状態で前記タンクの内部で前記懸吊部と前記ガイドリンクとの間を昇降させて、前記液化天然ガスの物理量を計測する、物理量計測装置を用いた物理量の測定方法。
【発明の詳細な説明】
【技術分野】
【０００１】
本発明は、液化天然ガスタンク用の物理量計測装置および物理量計測装置を用いた物理量の測定方法に関する。
【背景技術】
【０００２】
我が国で使用される都市ガス等の原料となる液化天然ガス（以下、ＬＮＧとする）は、複数の産地から輸入している。
ＬＮＧは天然物であるから、例えばその密度に関して言及すると、産地ごとに密度が多様に異なっており、また、同一産地のＬＮＧであっても、その輸送や貯蔵過程に依存して密度は変化する。近年特にＬＮＧの輸入先も多様化しているが、産地ごとに貯蔵タンクを使い分けるのに十分な設備が整っているわけではない。そこで、産地の異なるＬＮＧであっても、同一のタンクに貯留することが行われている。
しかし、一般にＬＮＧ混合貯蔵において、貯蔵タンク内で密度の異なる（複数産地の）ＬＮＧが貯蔵される場合、下層にいくほど高密度のＬＮＧが存在する密度分布を呈して、層状化することが知られている。そして、このような層状化が起こると、ボイルオフガスの異常発生が起きる危険な状態、いわゆる「ロールオーバー」の原因になることが知られている。
【０００３】
このロールオーバーを防ぐには、タンクに貯留されたＬＮＧ密度分布を常に正確に知る必要がある。そこで、このロールオーバーを防ぐ目的で、「既設」のＬＮＧタンクにＬＮＧの貯留状態を監視するための密度測定装置を設置したいというとのニーズが高まっている。
このため、タンクに貯留されたＬＮＧの密度を定期的に測定する簡易な密度測定装置の提案がなされている（例えば、特許文献１参照）。この引用文献１の方法は、ＬＮＧタンクの屋根板に設置された駆動装置により昇降自在としたケーブルに取り付けられた検出器を、あらかじめ固着したアンカーの重量で垂下した２本のガイドワイヤ（リボンケーブル）に案内させて、ＬＮＧタンク内における定位置の上下所定区間内を駆動せしめ、この間の温度・密度をセンサで検知するよう構成されている。
【先行技術文献】
【特許文献】
【０００４】
【特許文献１】特許第３３８３０７８号公報
【発明の概要】
【発明が解決しようとする課題】
【０００５】
「既設」のＬＮＧタンクに新たに密度測定装置などの物理量計測装置を設置するために、当該タンクを一度開放して新たに設置口を増設すると、設置作業に多大な費用が必要になる。そこで、既設の予備開口部（例えば大気開放用として設けられた小径のノズル部）を転用して、新たに設置する方法を検討することが望まれる。しかし、引用文献１の密度測定装置は、構造上、既設の予備開口部を利用して設置することもできる点が優れているが、簡易にメンテナンスできるものでは無く、改良の余地があった。
【０００６】
そこで、例えば既設のＬＮＧタンクの予備開口部などの、限られたスペースに取り付けた状態で、簡易にメンテナンスできる物理量計測装置が求められていた。
【０００７】
本発明は、上記実情に鑑み、メンテナンス性の高い液化天然ガスタンク用の物理量計測装置および物理量計測装置を用いた物理量の測定方法を提供することを目的とする。
【課題を解決するための手段】
【０００８】
本発明に係る液化天然ガスタンク用の物理量計測装置の特徴構成は、液化天然ガスを貯留するタンクの上部に設けられた予備開口部に載置されるケーシングと、一端に重量部が吊着され、前記ケーシング内から前記予備開口部を介して吊り下げられるガイドワイヤと、前記ガイドワイヤが巻回され、前記重量部を昇降自在な巻回部と、前記ガイドワイヤにより案内された状態で昇降自在に構成され、前記液化天然ガスの物理量を検知可能なプローブと、前記ケーシングと前記タンクとを前記予備開口部を介して連通する連通状態および前記ケーシングと前記タンクとが前記予備開口部を介して連通しない非連通状態に切替自在な開閉弁部とを備え、
前記プローブは、前記ガイドワイヤを挿通する案内孔を備えたガイド部を備え、
前記ガイド部は、上方側に位置する上方ガイド部と、前記上方ガイド部の下方側に位置する下方ガイド部とを備え、前記上方ガイド部および前記下方ガイド部におけるそれぞれの上面に、中央側から外方側に向かうにつれて下方に傾斜するガイド部傾斜構造を備え、
前記ガイドワイヤは、一対の第一ガイドワイヤと第二ガイドワイヤとを備えて構成されており、
前記第一ガイドワイヤと前記第二ガイドワイヤとの間の間隔を定める間隔規制部を有し、前記第一ガイドワイヤに吊着された前記重量部に載置されたガイドリンクを備え、
前記間隔規制部が、前記第一ガイドワイヤが挿通される第一挿通部と、前記第二ガイドワイヤが挿通される第二挿通部とを備えて、
前記第一挿通部の上面に、前記第二挿通部から離間するにつれて下方に傾斜する第一ガイドリンク傾斜構造を備え、
前記第二挿通部の上面に、前記第一挿通部から離間するにつれて下方に傾斜する第二ガイドリンク傾斜構造を備え、
前記プローブを前記ガイドリンクの上方に位置させ、且つ、前記重量部を前記開閉弁部の上方に位置させた状態で、前記プローブおよび前記重量部を前記ケーシング内に収納可能に構成される点にある。
【０００９】
この構成によれば、プローブを重量部の上方に位置させ、且つ、重量部を開閉弁部の上方に位置させた状態で、プローブと重量部とをケーシング内に収納可能に構成しているから、プローブと重量部とをケーシング内に収納して予備開口部に開閉弁部の開閉を阻害する障害物を無くし、開閉弁部を非連通状態にしてタンクを密閉できるようになる。このように密閉できるから、タンクから気化した天然ガスを流出させることなくケーシングを開放し、この物理量計測装置（特に、ケーシング内のプローブや重量部等）を容易にメンテナンスできるようになる。
【００１０】
つまり、使用時はガイドワイヤに案内させてタンク内部でプローブを確実に昇降させて物理状態を計測し、メンテナンス時には開閉弁部を非連通状態にしてタンクを密閉し、天然ガスがタンクから漏えいしない安全な状態としてメンテナンスのできる、メンテナンス性の高い液化天然ガスタンク用の物理量計測装置を提供することができる。
【００１１】
また、プローブはガイド部で案内孔を介してガイドワイヤに案内されて、確実に上下方向に昇降自在となる。
そして、ガイド部の上面には、中央側から外方側に向かうにつれて下方に傾斜するガイド部傾斜構造を備えているので、プローブを予備開口部を介してケーシングに収納する時、ガイド部が予備開口部等に衝突しても、ガイド部傾斜構造で衝突力を受け流し、予備開口部等に引っ掛かることなくスムーズに通過して、ケーシング内に収納することができる。
【００１２】
また、プローブは上方ガイド部と下方ガイド部との上下のガイド部で案内孔を介してガイドワイヤに案内されて、確実に且つ安定した状態で上下方向に昇降自在となる。
そして、上方ガイド部の上面および下方ガイド部の上面にはそれぞれガイド部傾斜構造を備えているので、プローブを予備開口部を介してケーシングに収納する時、上方ガイド部もしくは下方ガイド部が予備開口部等に衝突しても、ガイド部傾斜構造で衝突力を受け流し、予備開口部等に引っ掛かることなくスムーズに通過して、ケーシング内に収納することができる。
【００１３】
また、一本のガイドワイヤの１軸のみでプローブを案内すると、プローブの昇降動作の案内は可能であるものの、一本のガイドワイヤを軸にした回転動作を防止することができないことがある。また、タンクの内部は、液化天然ガスの対流による流れがあるので、回転動作が防止できないと、プローブの昇降を確実に行えなくなってしまうことがある。
しかしこの構成によれば、プローブを、第一ガイドワイヤの軸と第二ガイドワイヤの軸との２軸で案内できるから、プローブが昇降動作するときに、プローブが昇降方向を軸として回転動作することを防ぎ、確実に昇降させることができる。
そして、ガイドリンクの間隔規制部が、第一挿通部と第二挿通部との間で第一ガイドワイヤと第二ガイドワイヤとの間隔を常に一定に保つので、プローブを常に安定して確実に昇降させることができ、また、両ガイドワイヤの絡まりを抑制することができる。
また、間隔規制部が第一ガイドリンク傾斜構造と第二ガイドリンク傾斜構造とを備えているため、ガイドリンクをケーシングに収納する時、ガイドリンクが予備開口部等に衝突しても、第一ガイドリンク傾斜構造もしくは第二ガイドリンク傾斜構造が衝突力を受け流し、予備開口部等に引っ掛かることなくスムーズに通過して、ケーシング内に収納することができる。
【００１４】
本発明に係る液化天然ガスタンク用の物理量計測装置の更なる特徴構成は、前記重量部は、前記巻回部が操作されて前記タンク内に降下した際、前記タンクの内部に接触する状態で前記巻回部に引張力を加える点にある。
【００１５】
この構成によれば、巻回部を操作して、ガイドワイヤの一端に吊着された重量部をタンク内部に垂下するなどして降下させ、タンクの内部に接触する状態で重量部により巻回部に引張力を加えるので、ガイドワイヤをたとえば鉛直方向に降下させた状態で緊張させることができる。一方、重量部は重量部の重量と引張力の差分に応じた摩擦力をタンクの内部、例えばタンクの床板から受ける。そして、巻回部の巻回状態を変更して引張力を調整することにより、ガイドワイヤの緊張と、重量部とタンクの内部との摩擦力とを調整して、ガイドワイヤおよび重量部が、タンクの内部での液化天然ガスの対流などの流れに抗して静止するように維持できる。これにより、プローブを、ガイドワイヤで案内した状態でタンクの内部を昇降させることができ、プローブの揺動を防止することができる。
【００１６】
本発明に係る液化天然ガスタンク用の物理量計測装置の更なる特徴構成は、前記ケーシング内の上部に、前記巻回部と前記重量部との間の位置で前記ガイドワイヤを懸吊する一対の懸吊部を備え、前記プローブは、前記ガイドワイヤに案内された状態で前記懸吊部と前記ガイドリンクとの間を昇降自在に構成されている点にある。
【００１７】
この構成によれば、懸吊部でガイドワイヤを懸吊し、さらにプローブをガイドワイヤに
案内させて、懸吊部と重量部に載置されたガイドリンクとの間で昇降させることができる。
そして、懸吊部は、巻回部と重量部との間の位置でガイドワイヤを懸吊するから、懸吊部によりガイドワイヤの引張力のベクトルを昇降方向に対して変移した方向に変更することができ、巻回部を昇降方向からずらした位置に設置できるようになる。そうすると、巻回部をタンクの側面に設置できるから、物理量計測装置をコンパクトにすることができる。
【００２１】
本発明に係る液化天然ガスタンク用の物理量計測装置の更なる特徴構成は、前記重量部は、略円錐状に形成された頂部と、略円筒状に形成された胴部とを備え、前記頂部で前記ガイドワイヤに吊着される点にある。
【００２２】
この構成によれば、重量部は、略円錐状の頂部を上方としつつ胴部を下方に位置する状態でガイドワイヤに吊着される。そのため、ガイドワイヤを巻回して重量部をケーシングに収納する際に、頂部が予備開口部に衝突しても、略円錐状の形状効果で衝突力を受け流し、予備開口部等に引っ掛かることなくスムーズに通過して、ケーシング内に収納することができる。
【００２３】
本発明に係る液化天然ガスタンク用の物理量計測装置の更なる特徴構成は、前記ケーシングは、前記重量部の昇降方向に対して側面部位に、開閉自在な開閉部を備えて構成されている点にある。
【００２４】
この構成によれば、使用時には開閉部を閉じてケーシング内部を外部と遮断することができる。
そして重量部の昇降方向に対してケーシングの側面に開閉部を備えているから、プローブと重量部とをケーシングに収納したとき、開閉弁部の非連通状態において開閉部を開いてケーシングを開放し、ケーシングの内部のプローブ等に容易にアクセスしてメンテナンス作業をすることができる。
つまり、この構成によれば物理量計測装置のメンテナンスがきわめて容易になる。
【００２５】
本発明に係る液化天然ガスタンク用の物理量計測装置の更なる特徴構成は、前記開閉部は、開いた状態で前記予備開口部よりも広い開口面積を有するよう構成されている点にある。
【００２６】
この構成によれば、メンテナンスをするときに、予備開口部と接続されるケーシングの開口部からメンテナンスをするよりも、開閉部を介したメンテナンス作業の方がより一層容易になる。つまり、ケーシングをタンクから取り外すことなく、物理量計測装置のメンテナンスを行うことができる。
【００２７】
本発明に係る物理量計測装置を用いた物理量の測定方法の特徴構成は、液化天然ガスを貯留するタンクの上部に設けられた予備開口部に載置されるケーシングと、一端に重量部が吊着され、前記ケーシング内から前記予備開口部を介して吊り下げられるガイドワイヤと、前記ガイドワイヤが巻回され、前記重量部を昇降自在な巻回部と、前記ガイドワイヤにより案内された状態で昇降自在に構成され、前記液化天然ガスの物理量を検知可能なプローブと、前記ケーシングと前記タンクとを前記予備開口部を介して連通する連通状態および前記ケーシングと前記タンクとが前記予備開口部を介して連通しない非連通状態に切替自在な開閉弁部と、前記ケーシング内の上部に、前記巻回部と前記重量部との間の位置で前記ガイドワイヤを懸吊する一対の懸吊部とを備え、
前記プローブは、前記ガイドワイヤを挿通する案内孔を備えたガイド部を備え、
前記ガイド部は、上方側に位置する上方ガイド部と、前記上方ガイド部の下方側に位置する下方ガイド部とを備え、前記上方ガイド部および前記下方ガイド部におけるそれぞれの上面に、中央側から外方側に向かうにつれて下方に傾斜するガイド部傾斜構造を備え、
前記ガイドワイヤは、一対の第一ガイドワイヤと第二ガイドワイヤとを備えて構成されており、
前記第一ガイドワイヤと前記第二ガイドワイヤとの間の間隔を定める間隔規制部を有し、前記第一ガイドワイヤに吊着された前記重量部に載置されたガイドリンクを備え、
前記間隔規制部が、前記第一ガイドワイヤが挿通される第一挿通部と、前記第二ガイドワイヤが挿通される第二挿通部とを備えて、
前記第一挿通部の上面に、前記第二挿通部から離間するにつれて下方に傾斜する第一ガイドリンク傾斜構造を備え、
前記第二挿通部の上面に、前記第一挿通部から離間するにつれて下方に傾斜する第二ガイドリンク傾斜構造を備える物理量計測装置を用いた、物理量の測定方法において、
前記開閉弁部を切替操作して前記非連通状態とし、前記ケーシングの内部に、前記プローブと前記重量部とを前記プローブが前記ガイドリンクの上方に位置する状態で取り付けた後、
前記開閉弁部を切替操作して前記連通状態とし、前記巻回部を操作して前記重量部を前記タンクに着床させた状態で前記巻回部に引張力を作用させて、前記ガイドワイヤを固定し、
その後、前記プローブを、前記ガイドワイヤに沿って案内した状態で前記タンクの内部で前記懸吊部と前記ガイドリンクとの間を昇降させて、前記液化天然ガスの物理量を計測する点にある。
【００２８】
この構成によれば、タンクを非連通状態として密封した状態で、プローブが重量部の上方に位置する状態にプローブと重量部とをケーシングの内部に取り付けるので、取り付けが完了したら、その状態のままケーシングとタンクとを連通状態として、測定を開始することができる。
そして、測定操作として、巻回部を操作して重量部をタンクに降下してタンクに着床して巻回部に引張力を作用させて、ガイドワイヤを固定するから、ガイドワイヤおよび重量部を確実にタンク内に降下した状態して固定することができる。
さらに、プローブを、ガイドワイヤに沿って案内した状態でタンクの内部で昇降させて、液化天然ガスの物理量を計測するから、プローブの揺動を防止することができ、測定精度が向上する。
【図面の簡単な説明】
【００２９】
【図１】物理量計測装置を示す概略図
【図２】物理量計測装置の要部説明図（正面図）
【図３】物理量計測装置の要部説明図（側面図）
【図４】物理量計測装置の巻回部の説明図
【図５】物理量計測装置のプローブの説明図（正面図）
【図６】物理量計測装置のプローブの説明図（側面図）
【図７】物理量計測装置の重量部の説明図（正面図）
【図８】物理量計測装置の重量部の説明図（側面図）
【発明を実施するための形態】
【００３０】
本実施形態に係る液化天然ガスを貯留する液化天然ガスタンク用の物理量計測装置は、図１〜４に示すように、液化天然ガス９を貯留するタンク１の上部に設けられた予備開口部２に載置されるケーシング１０と、一端に重量部５０が吊着され、ケーシング１０内から予備開口部２を介して吊り下げられるガイドワイヤ３０と、ガイドワイヤ３０が巻回され、重量部５０を昇降自在な巻回部４０と、ガイドワイヤ３０により案内された状態で昇降自在に構成され、液化天然ガス９の物理量を検知可能なプローブ２０と、ケーシング１０とタンク１とを予備開口部２を介して連通する連通状態およびケーシング１０とタンク１とが予備開口部２を介して連通しない非連通状態に切替自在な開閉弁部６０とを備え、プローブ２０を重量部５０の上方に位置させ、且つ、重量部５０を開閉弁部６０の上方に位置させた状態で、プローブ２０および重量部５０をケーシング１０内に収納可能に構成されている。
【００３１】
重量部５０は、巻回部４０が操作されてタンク１内に降下した際、タンク１の内部の床板３上に接触する状態で巻回部４０に引張力を加えている。
そして、ケーシング１０の上部の天板１７に、巻回部４０と重量部５０の間の位置でガイドワイヤ３０を懸吊する懸吊部３３を備え、プローブ２０は、ガイドワイヤ３０に案内された状態で懸吊部３３と重量部５０との間を昇降自在に構成されている。
【００３２】
また、プローブ２０は、ガイドワイヤ３０を挿通する案内孔２４を備えたセンサケース２１（ガイド部）を備え、センサケース２１の上面には、中央側から外方側に向かうにつれて下方に傾斜するガイド部傾斜構造を備えている。
センサケース２１は、上方側に位置する上方ガイド部２２と、上方ガイド部２２の下方側に位置する下方ガイド部２３とを備え、上方ガイド部２２および下方ガイド部２３におけるそれぞれの上面に、ガイド部傾斜構造を備えている。
そして、ガイドワイヤ３０は、第一ガイドワイヤ３１と第二ガイドワイヤ３２とを備えて構成されており、第一ガイドワイヤ３１と第二ガイドワイヤ３２との間の間隔を定める間隔規制部７３を有するガイドリンク７０を備え、間隔規制部７３が、第一ガイドワイヤ３１が挿通される支持側係合部７１（第一挿通部）、第二ガイドワイヤ３２が挿通される被支持側係合部７２（第二挿通部）とを備えて、第一係合孔７１ａの上面に、第二係合孔７２ａから離間するにつれて下方に傾斜する面取り部７４（第一ガイドリンク傾斜構造）を備え、第二係合孔７２ａの上面に、第一係合孔７１ａから離間するにつれて下方に傾斜する面取り部７４（第二ガイドリンク傾斜構造）を備える。
また、重量部５０は、略円錐状に形成された頂部５１と、略円筒状に形成された胴部５２とを備え、頂部５１でガイドワイヤ３０に吊着される。
【００３３】
ケーシング１０は、重量部５０の昇降方向に対して側面に開閉自在の開閉部１１を備えて構成されている。そしてこの開閉部１１は、開いた状態で予備開口部２よりも広い開口面積を有するよう構成されている。
【００３４】
以下、この物理量計測装置について詳細を説明する。
まず、物理量計測装置を取り付けて使用するタンク１について説明する。タンク１は、液化天然ガス９を貯留するタンクで、その天板部は球面上に構成されており、汎用の点検口である予備開口部２を備えている。タンク１の内部の底面は、水平の床である床板３で構成されている。物理量計測装置は、この予備開口部２に取り付けて使用する。
【００３５】
物理量計測装置は、ケーシング１０とプローブ２０と昇降機２９とガイドワイヤ３０と巻回部４０と重量部５０と開閉弁部６０とを備えている。
【００３６】
ケーシング１０について説明を加える。
ケーシング１０は、物理量計測装置の本体である。ケーシング１０は、略円筒状の大径部１０ａと円筒形状が下方向へ縮径する形状の縮径部１０ｂと大径部１０ａよりも小径の円筒状の小径部１０ｃとを備えている。ケーシング１０は上部が大径部１０ａで成り、下部が小径部１０ｃで成り、大径部１０ａと小径部１０ｃとは縮径部１０ｂを介して接続されている。
大径部１０ａの上部に上部フランジ１５を、小径部１０ｃの底部には下部フランジ１６を備えている。
大径部１０ａにはフランジ状の開閉部１１を備えている。また、大径部１０ａの側面には巻回部４０を支持する土台となるベース４１を備えている。また、大径部１０ａの側面には、巻回部４０からガイドワイヤ３０をケーシング１０の内部に導くガイドワイヤ導入口１２が設けられている。
また、大径部１０ａの内側であって天板１７の下面にガイドワイヤ３０を懸吊する懸吊部３３を備えている。
そしてケーシング１０は、開閉弁部６０を介して、下部フランジ１６で予備開口部２に固定されている。
また、上部フランジ１５には、天板１７がフランジ接続で固定されている。そして天板１７の上面にはプローブ２０の昇降機２９が載置されている。
【００３７】
フランジ状の開閉部１１と上部フランジ１５と下部フランジ１６とについて補足する。
フランジ状の開閉部１１と上部フランジ１５と下部フランジ１６とはそれぞれ円形の開口部を備えている。そして本例では、フランジ状の開閉部１１と上部フランジ１５との開口径は下部フランジ１６の開口径よりも大きく構成されている。本例では、フランジ状の開閉部１１と上部フランジ１５との開口径は同じである。そして、フランジ状の開閉部１１と上部フランジ１５との開口径は、下部フランジ１６のおよそ１．５倍の開口径である。
このように、下部フランジ１６の開口径よりも、開閉部１１と上部フランジ１５との開口径を大きくすることで、物理量計測装置をメンテナンスするためにケーシング１０の内部にアクセスする場合に、下部フランジ１６を開放してそこからアクセスするよりも、開閉部１１ないしは上部フランジ１５を介してケーシング１０の内部にアクセスすることが容易になる。つまり、物理量計測装置のメンテナンス性が向上する。
なお、本例では、開閉部１１のフランジ口径は１２Ｂである。また、上部フランジ１５のフランジ口径も１２Ｂである。下部フランジ１６のフランジ口径は８Ｂである。
【００３８】
プローブ２０について説明を加える。
プローブ２０は、タンク１の内部を昇降して液化天然ガス９の物理量（例えば密度）を計測するセンサ部である。
プローブ２０は、物理量の検出部であるセンサヘッド２５と、センサヘッド２５を支持するセンサケース２１とを備えている。
さらにプローブ２０は、プローブ２０を牽引して昇降させ、またプローブ２０の昇降高さを検出するゲージの役割を担う測長テープ２８と、接続具２６を介して接続されている。この測長テープ２８はさらに、センサヘッド２５へ接続される電力線と信号線とを備えている。
【００３９】
プローブ２０は、使用時（測定時）には測長テープ２８で吊持された状態でタンク１へ垂下され、メンテナンス時は測長テープ２８で牽引されて、ケーシング１０に、測長テープ２８と共に収納される。なお、測長テープ２８は昇降機２９により巻き取られ、また巻きだされることにより昇降する。この測長テープ２８は主としてステンレス（ＳＵＳ３１６Ｌ）で構成され、その表面は４フッ化エチレン樹脂でコーティングしたものを用いている。４フッ化エチレン樹脂でコーティングすることにより、プローブ２０の昇降をスムーズにすることができる。
【００４０】
センサケース２１は、上方ガイド部２２と、下方ガイド部２３と、上方ガイド部２２と下方ガイド部２３とを接続してそれぞれ支持する支柱２１ａと接続具２６とを備えている。センサケース２１は、本例ではステンレス（ＳＵＳ３０４）で構成されている。
【００４１】
センサケース２１は、このように支柱２１ａを用いて上方ガイド部２２と下方ガイド部２３とを接続する籠状の形態とすることで、センサケース２１を軽量化して、メンテナンスの作業性を向上させることができる。また、常温のタンク１の外部から低温の液化天然ガス９の内部にセンサケース２１を垂下したときに、その温度変化で歪を生ずるのであるが、支柱２１ａはいわゆる棒状であるので、歪は支柱２１ａの長手方向のみに留まり、またそれ以外の方向に歪を生じたとしても、棒である支柱２１ａの弾性力によって歪応力を受け流し、歪の影響を受けない状態とすることができる。
【００４２】
上方ガイド部２２の上部の部位はその水平断面がおよそ楕円形にひずんだ鋭角形状の略円錐状である。言い換えると、上方ガイド部２２の上面は、中央側から外方側に向かうにつれて下方に傾斜する構造（ガイド部傾斜構造）を備えている。そして、上方ガイド部２２は、この楕円形の長軸方向の両端部に二つの案内孔２４を備えている。
この略円錐の傾斜面の角度は本例では、図５に示す正面視の角度α＝６０°であり、図６に示す側面視の角度βはβ＝６７°である。αの好適な範囲はおよそ４５°〜８０°である。βの好適な範囲はおよそ５０°〜８０°である。
また、上方ガイド部２２の下部の部位の長軸方向の両端部は上方ガイド部２２の中央側から外方側に向けて傾斜するように、下面側に面取りされている。このように上方ガイド部２２を形成することで、プローブ２０が昇降する時に上方ガイド部２２と液化天然ガス９との間に発生する流体抵抗を軽減して、プローブ２０をスムーズに昇降させることができるようになる。
このようにすると、プローブ２０をケーシング１０に収納する時、上方ガイド部２２が予備開口部２や下部フランジ１６の開口部に衝突してもガイド部傾斜構造で衝突力を受け流し、予備開口部２等に引っ掛かることなくスムーズに下部フランジ１６の開口部を通過することができる。
さらに、上方ガイド部２２は、その中心部に鉛直方向に貫通する上方ガイド部貫通孔２２ａを備えている。
【００４３】
下方ガイド部２３は、その水平断面がおよそ楕円形にひずんだ形状で構成されている。そして、下方ガイド部２３は、この楕円形の長軸方向の両端部に二つの案内孔２４を備えている。
下方ガイド部２３長軸方向の両端部には下方ガイド部２３の中央側から外方側に向けて傾斜するように、上面側と下面側に面取りされている。すなわち、下方ガイド部２３の上面は、中央側から外方側に向かうにつれて下方に傾斜する構造（ガイド部傾斜構造）を備えている。
このように下方ガイド部２３を形成することで、プローブ２０が昇降する時に下方ガイド部２３と液化天然ガス９との間に発生する流体抵抗を軽減して、プローブ２０をスムーズに昇降させることができるようになる。
また、このようにすると、プローブ２０をケーシング１０から垂下する時、上方ガイド部２２が予備開口部２や下部フランジ１６の開口部に衝突してもガイド部傾斜構造で衝突力を受け流し、予備開口部２等に引っ掛かることなくスムーズに下部フランジ１６の開口部を通過することができる。
さらに、下方ガイド部２３は、その中心部に鉛直方向に貫通する下方ガイド部貫通孔２３ａを備えている。
【００４４】
上方ガイド部２２と下方ガイド部２３とはそれぞれ、ガイドワイヤ３０を挿通してプローブ２０の昇降を案内する案内孔２４を備えている。
【００４５】
接続具２６は、測長テープ２８に吊持されたプローブ吊持部２６ａと支柱２６ｂとコネクタ支持部２６ｃと支柱２６ｄとを備えている。支柱２６ｂは、上方ガイド部貫通孔２２ａの内側で上方ガイド部２２に固定されている。コネクタ支持部２６ｃは支柱２６ｂで吊持されている。
【００４６】
センサヘッド２５は、下方ガイド部貫通孔２３ａにやや侵入する状態で、コネクタ支持部２６ｃに、支柱２６ｄで吊持されている。このようにセンサヘッド２５を上方ガイド部貫通孔２２ａにやや侵入する状態とすることで、センサヘッド２５に備えるセンサが下方ガイド部貫通孔２３ａで囲われて、タンク１の内部の液化天然ガス９の対流の流れから保護されるので、物理量計測装置の測定精度を向上させることができる。
測長テープ２８が備える電力線と信号線とは、上方ガイド部貫通孔２２ａを挿通されて、さらにコネクタ支持部２６ｃで支持されるコネクタ２７を介してセンサヘッド２５へ接続されている。
【００４７】
ガイドワイヤ３０について説明を加える。ガイドワイヤ３０は、本例ではステンレス（ＳＵＳ３０４）で構成されている。
ガイドワイヤ３０は、プローブ２０が昇降するとき、プローブを案内して揺動を抑制するものである。ガイドワイヤ３０の先端にはガイドワイヤ接続端子３０ａが設けられ、重量部５０を吊着している。
【００４８】
このガイドワイヤ３０は、使用時には巻回部４０で引張力を加えられつつ支持され、ガイドワイヤ導入口１２を介してケーシング１０内部に導かれる。そして、滑車である懸吊部３３に懸吊された状態で、さらに重量部５０を吊着した状態で、予備開口部２を介してタンク１に垂下される。この時、重量部５０は床板３上に接触し、かつ巻回部４０に引張力を加える状態で、ガイドワイヤ３０に吊着されている。
【００４９】
本例ではガイドワイヤ３０は、第一ガイドワイヤ３１と第二ガイドワイヤ３２との一対のガイドワイヤ３０として構成される。第一ガイドワイヤ３１と第二ガイドワイヤ３２とはそれぞれ個別の巻回部４０でその一端を支持され、また、それぞれ個別に他端に重量部５０を吊着している。第一ガイドワイヤ３１と第二ガイドワイヤ３２とは巻回部４０と重量部５０との間の位置でそれぞれ個別の懸吊部３３で懸吊される。
そしてこれら第一ガイドワイヤ３１と第二ガイドワイヤ３２との間隔Ｌ１は、ガイドリンク７０で一定に規制されている。本例では、Ｌ１はおよそ１００ｍｍである。そして、ガイドリンク７０で一定に規制されている第一ガイドワイヤ３１と第二ガイドワイヤ３２とのそれぞれに重量部５０が懸吊されたとき、懸吊された２つの重量部５０の幅Ｌ２はおよそ１８０ｍｍである。
【００５０】
ガイドリンク７０は第一ガイドワイヤ３１と第二ガイドワイヤ３２との間隔を定める間隔規制部７３と支持側係合部７１と被支持側係合部７２とを備えている。
ガイドリンク７０は、本例ではステンレス（ＳＵＳ３０４）で構成されている。
【００５１】
支持側係合部７１には第一ガイドワイヤ３１を揺動可能に挿通する第一係合孔７１ａを備えている。この支持側係合部７１は、第一ガイドワイヤ３１に吊着される重量部５０に載置され、さらに第一ガイドワイヤ３１に第一係合孔７１ａを介して支持されて、ガイドリンク７０を支持している。
【００５２】
間隔規制部７３は、第一ガイドワイヤ３１と第二ガイドワイヤ３２との間に設けられた棒状の部材である。間隔規制部７３は、支持側係合部７１の上部位置で間隔規制部７３の一方の端部で支持されている。
【００５３】
被支持側係合部７２は、間隔規制部７３の他方の端部で支持されている。そして、被支持側係合部７２は第一ガイドワイヤ３１を揺動可能に挿通する第二係合孔７２ａを備えている。
【００５４】
間隔規制部７３について補足する。
間隔規制部７３の両端部すなわち、間隔規制部７３と支持側係合部７１との角部、間隔規制部７３と被支持側係合部７２との角部のそれぞれに、一対のガイドワイヤ３０の外側に向けて下方に傾斜する面取り部７４を備えている。この面取り部７４の角度γは本例ではγ＝６０°である。
【００５５】
面取り部７４について補足する。
この面取り部７４は、支持側係合部７１（第一係合孔７１ａ）の上面に、被支持側係合部７２（第二係合孔７２ａ）から離間するにつれて下方に傾斜する傾斜構造を備え、被支持側係合部７２（第二係合孔７２ａ）の上面に、支持側係合部７１（第一係合孔７１ａ）から離間するにつれて下方に傾斜するガイドリンク傾斜構造を備える。
【００５６】
ガイドワイヤ３０は、メンテナンス時は巻回部４０で巻き上げられて、重量部５０は、重量部５０につながるガイドワイヤ３０の一部分と共にケーシング１０に収納される。
【００５７】
プローブ２０とガイドワイヤ３０との関係について補足する。
プローブ２０は、ガイドワイヤ３０を挿通してプローブ２０の昇降を案内する案内孔２４を備えている。この案内孔２４は、上方ガイド部２２に設けられた上方案内孔２４ａおよび上方案内孔２４ｂと、下方ガイド部２３に設けられた下方案内孔２４ｃおよび下方案内孔２４ｄとを備えている。
そして、上方案内孔２４ａと下方案内孔２４ｃとは第一ガイドワイヤ３１により案内される。上方案内孔２４ｂと下方案内孔２４ｄとは第二ガイドワイヤ３２により案内される。
【００５８】
案内孔２４がガイドワイヤ３０と係合することでプローブ２０の揺動が抑制されるのであるが、このように、上方ガイド部２２が上方案内孔２４ａおよび上方案内孔２４ｂの２か所で２本のガイドワイヤ３０（３１、３２）により案内されることで、プローブ２０の昇降時の回転や揺動が抑制され、昇降が安定して行えるようになる。また、下方ガイド部２３が下方案内孔２４ｃおよび下方案の２か所で２本のガイドワイヤ３０（３１、３２）により案内されることでも、プローブ２０の昇降時の回転や揺動が抑制され、昇降が安定して行えるようになる。
つまり、プローブ２０を４つの案内孔２４（２４ａ、２４ｂ、２４ｃ、２４ｄ）で２本のガイドワイヤ３０（３１、３２）により案内されることで、プローブ２０の昇降時の回転や揺動を確実に抑制することができる。
【００５９】
巻回部４０について補足する。
巻回部４０は、ガイドワイヤ３０を巻き上げて、また、巻きだして垂下し、さらに引張力を与えるものである。本例では、巻回部４０として、いわゆるウインチを使用している。この巻回部４０としては、いわゆるウインチ以外にも、同様の機能を発揮するものであれば、その形態は問わず、汎用品を用いることができる。
本例では、第一ガイドワイヤ３１と第二ガイドワイヤ３２とのそれぞれに、巻回部４０を備えており、図３に示すように、それぞれの巻回部４０は、平行に配列するのではなく、ケーシング１０の中心に対して一定の角度をつけて、Ｖ型に並ぶよう配置してケーシング１０に対して設けられている。
このようにＶ型に並ぶよう配置することで、直径の小さなケーシング１０に対しても、２つのベース４１および巻回部４０を備えることができる。
【００６０】
重量部５０について補足する。
重量部５０は、頂部５１と胴部５２と底部５３を備えている。そして重量部５０は、本例ではステンレス（ＳＵＳ３０４）で構成されている。
頂部５１は上に凸の略円錐構造に構成されている。重量部５０は、頂部５１でガイドワイヤ３０に吊着される。頂部５１は、円錐状に構成されているから、ガイドワイヤ３０を巻き上げて重量部５０をケーシング１０に収納する時、頂部５１が下部フランジ１６の開口部に衝突しても衝突力を受け流し、予備開口部２等に引っ掛かることなくスムーズに下部フランジ１６の開口部を通過することができる。この頂部５１の角度δは本例ではδ＝６０°である。
【００６１】
胴部５２は、円筒状に構成されている。
底部５３は、平板状に形成された底部である平板部５３ａを有し、その外周部には面取りされた面取り部５３ｂが設けられている。面取り部５３ｂが設けられているので、重量部５０をケーシング１０から垂下する時、底部５３が下部フランジ１６の開口部に衝突しても衝突力を受け流し、スムーズに下部フランジ１６の開口部を通過することができる。
【００６２】
さらに、頂部５１と面取り部５３ｂを備えることで、液化天然ガス９の中を垂下していくときに、面取り部５３ｂが液化天然ガス９の流体抗力を受け流し、さらに頂部５１が重量部５０の背面で液化天然ガス９の乱流発生を抑制するため、重量部５０を揺動させることなくまっすぐに床板３に向けて垂下していくことができる。
この重量部５０の直径Ｄは、本例ではおよそ８０ｍｍである。
【００６３】
開閉弁部６０について補足する。
開閉弁部６０は、ケーシング１０とタンク１とが連通する連通状態においてプローブ２０とガイドワイヤ３０と重量部５０とを通過可能であって、予備開口部２を密閉する非連通状態においては確実に予備開口部２を密閉できるものであればよい。本例では、この目的に好適なフルボアタイプのボールバルブを用いているが、その他のバルブ類、閉止具でも、同様の機能があればその種類は問わない。開閉弁部６０をケーシング１０に設けていてもよい。
【００６４】
次に、物理量計測装置を用いた物理量の測定方法について説明する。
この物理量計測装置を用いた物理量の測定方法は、上述の物理量計測装置を使用して、開閉弁部６０を切替操作してケーシング１０とタンク１とを非連通状態とし、ケーシング１０の内部に、プローブ２０と重量部５０とをプローブ２０が重量部５０の上方に位置する状態で取り付けた後、開閉弁部６０を切替操作してケーシング１０とタンク１とを連通状態とし、巻回部４０を操作して重量部５０をタンク１に着床させた状態で巻回部４０に引張力を作用させて、ガイドワイヤ３０を固定し、その後、プローブ２０を、ガイドワイヤ３０に沿って案内した状態でタンク１の内部で昇降させて、液化天然ガス９の物理量を計測する。
以下、この物理量計測装置１００を用いた物理量の測定方法の説明として、使用開始手順とメンテナンス手順について説明を加える。
【００６５】
まず、使用開始手順の説明を加える。
〔使用開始手順の説明〕
〔開始手順１〕
物理量計測装置の使用開始前、すなわち物理量計測装置の直近のメンテナンス実施後は、予備開口部２に開閉弁部６０が連結固定され、開閉弁部６０にケーシングの下部フランジ１６が連結固定されており、開閉弁部６０が密閉された状態で、開閉部１１が開いた状態とされている。また、プローブ２０とガイドワイヤ３０と重量部５０とガイドリンク７０とは取り外された状態で、ケーシング１０の外部にある。そして、測長テープ２８は、ケーシング１０の内部に吊下げられた状態になっている。また、開閉部１１は解放されている。
【００６６】
まず、第一ガイドワイヤ３１のガイドワイヤ接続端子３０ａの他端側（図示せず）をガイドリンク７０の第一係合孔７１ａに下部から挿通する。次に、この他端側をセンサケース２１の下方案内孔２４ｃ、上方案内孔２４ａの順に挿通する。
【００６７】
次に、懸吊部３３である滑車に第一ガイドワイヤ３１を引っかけて、さらにこの他端側をケーシング１０の内側からガイドワイヤ導入口１２に挿通する。そして、この他端側を巻回部４０に接続する。このケーシング１０の内部での作業は、ケーシング１０の側面部位に設けられた開閉部１１の開口部を介して行うことができる。
【００６８】
その後、ガイドワイヤ接続端子３０ａが開閉部１１を介してケーシング１０の外部に適度な長さはみ出る状態になるまで、巻回部４０で第一ガイドワイヤ３１を巻き上げる。
【００６９】
次に、第二ガイドワイヤ３２のガイドワイヤ接続端子３０ａの他端側（図示せず）をガイドリンク７０の第二係合孔７２ａに下部から挿通する。次に、この他端側をセンサケース２１の下方案内孔２４ｄ、上方案内孔２４ｂの順に挿通する。
【００７０】
次に、懸吊部３３である滑車に第二ガイドワイヤ３２を引っかけて、さらにこの他端側をケーシング１０の内側からガイドワイヤ導入口１２に挿通する。
そして、この他端側を巻回部４０に接続する。このケーシング１０の内部での作業は、ケーシング１０の側面部位に設けられた開閉部１１の開口部を介して行うことができる。
【００７１】
その後、ガイドワイヤ接続端子３０ａが開閉部１１を介してケーシング１０の外部に適度な長さはみ出る状態になるまで、巻回部４０で第二ガイドワイヤ３２を巻き上げる。
【００７２】
そして、ケーシング１０の外でガイドワイヤ接続端子３０ａとガイドワイヤ接続端子３０ａとのそれぞれに、重量部５０を接続する。
【００７３】
ここで、ガイドワイヤ接続端子３０ａおよびガイドワイヤ接続端子３０ａの取り扱いに関する「適度な長さ」とは、ガイドワイヤ３０における懸吊部３３から重量部５０の底部５３までの長さが、ケーシング１０内における、懸吊部３３から下部フランジ１６までの距離より短く、また、ケーシング１０の外部で重量部５０を取り付ける作業を行うために十分な距離を確保する長さを意味する。
【００７４】
次に、ガイドワイヤ３０が十分な予長を持つように巻回部４０を巻きだす。そして、プローブ２０をガイドワイヤ３０の一部と共に、開閉部１１を介してケーシング１０の外部に引き出した状態を維持しつつ、重量部５０をケーシング１０内に挿入し、底部５３を閉状態の開閉弁部６０の弁面上に着地させる。ここで、十分な予長とは、ガイドワイヤ３０に係合されたプローブ２０をガイドワイヤ３０の一部と共に、開閉部１１を介してケーシング１０の外部に引き出した状態で、プローブ２０の全表面に、作業者が容易にアクセスできる程度を意味する。
【００７５】
次に、測長テープ２８を開閉部１１を介してケーシング１０の外部に引き出して、プローブ吊持部２６ａに固定し、さらに測長テープ２８の電線および信号線をコネクタ２７に接続する。
【００７６】
次に、プローブ２０をケーシング１０の内部に挿入し、測長テープ２８を昇降機２９で巻き上げて、プローブ２０を懸吊部３３の直下に吊下げる。ガイドワイヤ３０の予長を巻回部４０で巻き上げて、重量部５０をプローブ２０の下に吊下げる。
【００７７】
以上の手順により、懸吊部３３とプローブ２０とガイドリンク７０と重量部５０とは、鉛直方向の上から順に、懸吊部３３、プローブ２０、ガイドリンク７０、重量部５０の順番に、ケーシング１０の内部に配列して収納された状態になる。
【００７８】
この状態で開閉部１１を閉じる。そして、ケーシングパージ孔１３、ガイドワイヤ導入口パージ孔１４、図示しないその他のパージ孔から不活性ガス（たとえば窒素ガス）をケーシング１０に供給しつつ、ケーシング１０内部の空気を昇降機ベント孔２９ａから排出し、ケーシング１０内部を不活性ガスで置換する。天然ガスと空気とが混合して引火する危険を抑制するためである。
この置換が終了すると、開閉弁部６０を開いて、ケーシング１０とタンク１とを安全に連通することができるようになる。
【００７９】
〔開始手順２〕
開閉弁部６０を開き、第二ガイドワイヤ３２を巻回部４０で巻き出して、重量部５０をタンク１の内部へ垂下し、重量部５０の平板部５３ａが床板３に着床し、重量部５０の重量が床板３と第二ガイドワイヤ３２との両方で支持された状態で、第二ガイドワイヤ３２を固定して、第二ガイドワイヤ３２の設置を完了する。そうすると、第二ガイドワイヤ３２を経て巻回部４０に引張力が作用し、第二ガイドワイヤ３２が緊張状態となる。同時に、床板３と平板部５３ａとの間に静止摩擦力が作用する。このような状態で第二ガイドワイヤ３２を固定することで、タンク１の内部で液化天然ガス９の対流などの流れがあっても、第二ガイドワイヤ３２と重量部５０とはほぼ静止した状態になる。
なお、第二ガイドワイヤ３２を巻回部４０で巻き出して、重量部５０をタンク１の内部へ垂下するとき、ガイドリンク７０は、支持側係合部７１で第一ガイドワイヤ３１に懸吊される重量部５０の頂部５１に支持されて、ケーシング１０の内部に留まっている。
【００８０】
次に、第一ガイドワイヤ３１と重量部５０とについて上記同様の操作を行う。このとき、ガイドリンク７０は、支持側係合部７１で第一ガイドワイヤ３１に懸吊される重量部５０の頂部５１に支持された状態で、第一ガイドワイヤ３１および重量部５０と共に、タンク１の内部へ垂下されるから、一対のガイドワイヤ３０である第一ガイドワイヤ３１と第二ガイドワイヤ３２とは、間隔規制部７３で規制されて、所望の間隔Ｌ１を維持した状態でそれぞれ平行に、かつ垂直に垂下されて固定された状態になる。
このようにして、ガイドワイヤ３０（３１、３２）の設置を完了する。そうすると、プローブ２０は、懸吊部３３とガイドリンク７０との間で昇降自在な状態になる。
【００８１】
このようにガイドワイヤ３０の設置が完了したら、昇降機２９でプローブ２０をタンク１の内部へ垂下して液化天然ガス９の内部で昇降させつつ、液化天然ガス９の物理量を計測することができるようになる。
【００８２】
〔メンテナンス手順〕
メンテナンスを行うときは、上記〔使用開始手順の説明〕で説明した手順と逆の手順で、使用開始前の状態に戻す。
具体的には、開閉弁部６０が密閉された状態で、開閉部１１が開いた状態とき、また、プローブ２０とガイドワイヤ３０と重量部５０とガイドリンク７０とは取り外された状態で、ケーシング１０の外部にあり、さらに、測長テープ２８は、ケーシング１０の内部に吊下げられた状態とすると、メンテナンスは終了である。
以下、〔使用開始手順の説明〕の逆の操作であるので、必要部のみ説明を補足する。
【００８３】
まず、上記の〔開始手順２〕の逆の手順で、懸吊部３３とプローブ２０とガイドリンク７０と重量部５０とが、鉛直方向の上から順に、懸吊部３３、プローブ２０、ガイドリンク７０、重量部５０の順番に、ケーシング１０の内部に配列して収納された状態にする。
【００８４】
プローブ２０やガイドリンク７０と重量部５０とは、ガイドワイヤ３０を巻き上げてケーシング１０に収納する時、予備開口部２や下部フランジ１６の開口部を通過してケーシング１０に収納されるのであるが、予備開口部２や下部フランジ１６の開口部を通過するとき、昇降時の揺動で、プローブ２０やガイドリンク７０や重量部５０が予備開口部２や下部フランジ１６の開口部に衝突することがある。しかしながら本例では、プローブ２０はガイド部傾斜構造を備えているから、予備開口部２などに衝突しても、頂部５１がその衝突力を受け流し、スムーズに収納することができる。また、重量部５０は略円錐状の頂部５１を備えているから、予備開口部２などに衝突しても、頂部５１がその衝突力を受け流し、スムーズに収納することができる。同様にガイドリンク７０についても、面取り部７４がその衝突力を受け流すので、スムーズに収納することができる。
【００８５】
懸吊部３３とプローブ２０とガイドリンク７０と重量部５０とが、ケーシング１０の内部に収納された後、開閉弁部６０を非連通状態する。そして、ケーシング１０内部の天然ガスを、不活性ガスで置換する。この置換の手順も上記〔開始手順１〕における置換と同様である。
この置換が完了すると、開閉部１１を開き、〔開始手順１〕で示した方法と逆の手順でプローブ２０とガイドワイヤ３０と重量部５０とガイドリンク７０とを、ケーシング１０の外部に取出し、測長テープ２８は、ケーシング１０の内部に吊下げられた状態とする。
以上でメンテナンスは終了である。
【００８６】
〔別実施形態〕
本発明は、前述した実施形態に限定されるわけでなく、その他種々の変更が可能である。変更の例として、以下に本発明の別実施形態について説明する。なお、以下の各実施形態の構成は、それぞれ単独で適用されるものに限られず、矛盾が生じない限り、他の実施形態の構成と組み合わせて適用することも可能である。
【００８７】
（１）上述の実施形態では、物理量計測装置はたとえば物理量として密度計であるとしたが、液化天然ガス９の物理量であればその計測対象となる物性は問わない。
たとえば、タンク１に貯留された液化天然ガス９の液面高さを計測することもできる。もちろん温度を計測することもできる。また、センサヘッド２５として近赤外分光システムの光検出部を備え、測長テープ２８の信号線の代わりに、もしくは信号線と供に光ファイバを備えれば、液化天然ガス９の物性を総合的に把握することもできる。
【００８８】
（２）上述の実施形態では、物理量計測装置はたとえば物理量としてたとえば密度計のひとつである例を示したが、センサヘッド２５に、複数のいわゆる検出器やセンサを備えて、複数の物理量を同時に計測するように構成することもできる。
【００８９】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００９０】
本発明に係る物理量計測装置はメンテナンス性の高い液化天然ガスタンク用の物理量計測装置として有用に利用でき、また、当該物理量計測装置を用いた物理量の測定方法として有用に利用できる。
【符号の説明】
【００９１】
１        ：タンク
２        ：予備開口部
３        ：床板（内部）
９        ：液化天然ガス
９        ：天然ガス
１０      ：ケーシング
１１      ：開閉部
２０      ：プローブ
２１      ：センサケース（ガイド部）
２２      ：上方ガイド部
２３      ：下方ガイド部
２４      ：案内孔
３０      ：ガイドワイヤ
３３      ：懸吊部
４０      ：巻回部
５０      ：重量部
５１      ：頂部
５２      ：胴部
６０      ：開閉弁部
７０      ：ガイドリンク
７１ａ    ：支持側係合孔（係合孔）
７２ａ    ：被支持側係合孔（係合孔）
７３      ：間隔規制部
７４      ：面取り部（第一ガイドリンク傾斜構造、第二ガイドリンク傾斜構造）
【要約】
【課題】液化天然ガスタンク用の物理量計測装置および物理量計測装置を用いた物理量の測定方法を提供する。
【解決手段】タンクの上部に設けられた予備開口部２に載置されるケーシング１０と、一端に重量部５０が吊着され、ケーシング１０内から予備開口部２を介して吊り下げられるガイドワイヤ３０と、ガイドワイヤ３０が巻回され、重量部５０を昇降自在な巻回部４０と、ガイドワイヤ３０により案内された状態で昇降自在に構成され、液化天然ガスの物理量を検知可能なプローブ２０と、ケーシング１０とタンクとを予備開口部２を介して連通する連通状態と、ケーシング１０とタンクとが予備開口部２を介して連通しない非連通状態とに切替自在な開閉弁部６０とを備え、プローブ２０を重量部５０の上方に位置させ、且つ、重量部５０を開閉弁部６０の上方に位置させた状態で、プローブ２０および重量部５０をケーシング１０に収納可能に構成する。
【選択図】図２【図１】
0005905145.tif 000002
【図２】
0005905145.tif 000003
【図３】
0005905145.tif 000004
【図４】
0005905145.tif 000005
【図５】
0005905145.tif 000006
【図６】
0005905145.tif 000007
【図７】
0005905145.tif 000008
【図８】
0005905145.tif 000009